(57)【要約】【課題】識別対象の紙幣を用いて、紙幣の種類、真偽の判別基準などの識別仕様を変更可能な紙幣識別装置を提案すること。【解決手段】紙幣識別装置１を識別仕様変更モードに切り替え、識別対象の正規の紙幣Ｐを挿入する。紙幣読取センサ７で読み取られた紙幣読取情報Ｄ７から、紙幣識別処理部１２では挿入紙幣Ｐの種類、表裏の向き、および挿入方向を識別して紙幣情報ｄ１２を出力し、紙幣情報比較処理部１７では、紙幣情報ｄ１２に一致する紙幣情報（Ｄ１〜Ｄｎ）に割り当てられている変更用識別仕様情報（Ｄ１’〜Ｄｎ’）を識別仕様変更情報記憶部１８から検索出力して、識別仕様情報書き込み処理部１９に供給する。識別仕様情報書き込み処理部１９は、変更用識別仕様情報により識別仕様情報記憶部１１を更新する。これにより、識別仕様が変更される。【選択図】図２
2007114818.tif 000002
【特許請求の範囲】
【請求項１】
予め設定されている識別仕様に従って、挿入された紙幣などの紙葉類の識別を行う紙葉類識別装置における前記識別仕様を変更するための方法であって、
前記紙葉類識別装置を、前記識別仕様を変更するための変更モードに切り替え、
識別対象の正規の紙葉類を挿入し、
挿入された前記紙葉類の種類、表裏の向き、挿入方向、および、挿入枚数のうちの少なくとも一つの要素を含む紙幣情報を読み取り、
読み取られた紙幣情報に予め対応付けされている変更用識別仕様情報に基づき、前記識別仕様を変更することを特徴とする紙葉類識別装置の識別仕様変更方法。
【請求項２】
請求項１において、
識別対象の正規の紙葉類を繰り返し挿入し、
挿入された紙葉類の種類、表裏の向き、および、挿入方向のうちの少なくとも一つの要素の挿入順の配列パターンを含む紙幣情報を読み取り、
読み取られた紙幣情報に予め対応付けされている変更用識別仕様情報に基づき、前記識別仕様を変更することを特徴とする紙葉類識別装置の識別仕様変更方法。
【請求項３】
請求項２において、
前記識別仕様には、受入可能な各紙葉類についての真偽を識別するための識別仕様が含まれており、
前記の識別仕様の変更には、少なくとも一つの受入可能な紙葉類の識別仕様を使用不可に切り替える変更が含まれており、
当該識別仕様の変更後においては、識別仕様が使用不可に切り替えられた紙葉類の受入が禁止されることを特徴とする紙葉類識別装置の識別仕様変更方法。
【請求項４】
請求項２または３において、
前記識別仕様には、受入可能な各紙葉類についての真偽を識別するための識別仕様が含まれており、
少なくとも一つの紙葉類についての真偽識別用の前記識別仕様には、判別レベルの異なる複数の判別基準が含まれており、
前記の識別仕様の変更には、判別レベルの異なる複数の判別基準が割り当てられている紙葉類について、判別レベルの異なる判別基準への変更が含まれていることを特徴とする紙葉類識別装置の識別仕様変更方法。
【請求項５】
請求項１ないし４のうちのいずれかの項において、
ディップスイッチなどの手動操作部材を操作することにより、前記紙葉類識別装置を前記変更モードに設定することを特徴とする紙葉類識別装置の識別仕様変更方法。
【請求項６】
請求項１ないし５のうちのいずれかの項において、
前記紙葉類識別装置に電源を投入した後の一定時間、当該紙葉類識別装置を前記変更モードに設定することを特徴とする紙葉類識別装置の識別仕様変更方法。
【請求項７】
請求項１ないし６のうちのいずれかの項に記載の識別仕様変更方法により識別仕様の変更を行うことを特徴とする紙葉類識別装置。
【発明の詳細な説明】
【技術分野】
【０００１】
本発明は、紙幣、商品券、クーポン券などの各種の紙葉類の種類、真偽、受入の可否などを識別するために用いる紙葉類識別装置に関し、特に、予め設定されている紙葉類の識別仕様を変更するための識別仕様変更方法に関するものである。
【背景技術】
【０００２】
紙葉類識別装置、例えば、自動販売機、自動両替機、遊技機などに搭載されている紙幣識別装置においては、挿入された紙幣に担持されている光学的情報、磁気的情報などを読み取り、読み取った情報を予め設定されている識別情報と比較して、その種類、真偽、受入の可否などの識別を行うようになっている。
【０００３】
紙幣識別装置が組み込まれた機器が設置場所において稼動を開始した後に、紙幣識別装置に設定されている識別仕様を変更する必要が生ずる場合がある。例えば、紙幣の改札から一定期間が経過した場合、旧紙幣の受入を禁止する場合、偽造紙幣の対策のために、特定の紙幣の真偽判定の基準を厳しくする場合などがある。
【０００４】
設置場所において紙幣識別装置に設定されている識別仕様を変更できるようにするために、紙幣識別装置には仕様変更用のスイッチが設けられている。例えば、装置背面に配置されたディップスイッチを用いて識別仕様を変更できるようにしている。スイッチを用いる場合には、識別仕様の変更設定項目の数に対応してスイッチの個数も増加するので、スイッチの配列個数に制限がある場合などにおいては変更設定項目数を制限しなければならないなどの制約がある。
【０００５】
特許文献１には、スイッチを用いることなく識別仕様を変更可能な紙葉類識別装置が提案されている。ここに開示の紙葉類識別装置では、識別対象の紙葉類とは異なる識別仕様変更用紙葉類を作成し、これを用いて識別仕様を変更するようにしている。
【特許文献１】特開２００４−８６８３９号公報
【発明の開示】
【発明が解決しようとする課題】
【０００６】
しかしながら、識別仕様変更のために専用の紙葉類を用いる方法では、識別情報の変更設定項目に対応する枚数の識別仕様変更用紙葉類を作成し、それらを保管する必要がある。
【０００７】
また、本来の識別処理とは別に、このような専用の識別仕様変更用紙葉類を識別して、そこに担持されている情報を読み取る処理を追加する必要がある。その結果、紙幣識別装置の記憶部に蓄積される制御プログラムの容量およびその開発工数が増加し、コスト高に繋がる。
【０００８】
本発明の課題は、このような点に鑑みて、スイッチあるいは専用の識別仕様変更用紙葉類を用いることなく、多様な識別仕様に対する変更を行うことのできる紙葉類識別装置の識別仕様変更方法を提案することにある。
【課題を解決するための手段】
【０００９】
上記の課題を解決するために、本発明は、予め設定されている識別仕様に従って、挿入された紙幣などの紙葉類の識別を行う紙葉類識別装置における前記識別仕様を変更するための識別仕様変更方法において、
前記紙葉類識別装置を、前記識別仕様を変更するための変更モードに切り替え、
識別対象に含まれている正規の紙葉類を挿入し、
挿入された紙葉類の種類、表裏の向き、挿入方向、および、挿入枚数のうちの少なくとも一つの要素を含む紙幣情報を読み取り、
読み取られた紙幣情報に予め対応付けされている変更用識別仕様情報に基づき、前記識別仕様を変更することを特徴としている。
【００１０】
本発明では、識別対象の紙葉類を利用して識別仕様を変更するようにしている。したがって、専用の識別仕様変更用紙葉類を用いる必要がなく、そのための読取処理などを追加する必要もない。また、挿入する紙葉類の種類、表裏の向き、挿入方向、および挿入枚数の組み合わせに基づき、識別仕様を変更するので、多数の識別仕様変更項目にも対応できる。
【００１１】
ここで、前記の正規の紙葉類を繰り返し挿入し、挿入された紙葉類の種類、表裏の向き、および、挿入方向のうちの少なくとも一つの要素の挿入順の配列パターンを含む紙幣情報を読み取り、読み取られた紙幣情報に予め対応付けされている変更用識別仕様情報に基づき、前記識別仕様を変更するようにしてもよい。このように複数枚の紙葉類を用いることにより、より多様な識別仕様変更項目に対応することが可能になる。
【００１２】
また、本発明において、前記識別仕様に、受入可能な各紙葉類についての真偽を識別するための識別仕様が含まれている場合には、前記の識別仕様の変更として、少なくとも一つの受入可能な紙葉類の識別仕様を使用不可に切り替える変更が含まれており、当該識別仕様の変更後においては、識別仕様が使用不可に切り替えられた紙葉類の受入が禁止されることを特徴としている。
【００１３】
例えば、紙幣識別装置において、紙幣の改札から一定期間が経過した後に、旧紙幣の受入を禁止する場合に、かかる識別仕様の変更を行えばよい。
【００１４】
さらに、前記識別仕様に、受入可能な各紙葉類についての真偽を識別するための識別仕様が含まれ、少なくとも一つの紙葉類についての真偽識別用の前記識別仕様に、判別レベルの異なる複数の判別基準が含まれている場合には、前記の識別仕様の変更として、判別レベルの異なる複数の判別基準が割り当てられている紙葉類について、判別レベルの異なる判別基準への変更が含まれていることを特徴としている。
【００１５】
例えば、紙幣識別装置において、偽造紙幣の対策のために特定の紙幣の真偽判定基準を厳しくする場合に、かかる識別仕様の変更を行えばよい。
【００１６】
次に、本発明において、変更モードの設定は、ディップスイッチなどの手動操作部材を操作することにより行うことができる。
【００１７】
これと共に、あるいはこの代わりに、前記紙葉類識別装置に電源を投入した後の一定時間、当該紙葉類識別装置を前記変更モードに設定してもよい。
【００１８】
次に、本発明は紙葉類識別装置に関するものであり、上記の方法により、設定されている識別仕様を変更することを特徴としている。
【発明の効果】
【００１９】
本発明では、識別仕様を変更するための変更モードに切り替えられた紙葉類識別装置に識別対象の紙幣を挿入することにより、識別仕様の設定を変更できる。したがって、専用の識別仕様変更用紙葉類を用いる場合に比べて、そのような専用の紙葉類を作成するための費用が不要となり、それらの保管も不要となる。また、仕様変更時に識別対象の紙幣を読み取ればよいので、専用の識別仕様変更用紙葉類を読み込む場合に比べて、簡単な識別仕様の設定変更用の制御プログラムを組み込むだけで良く、その制御プログラムの開発工数および容量を最小限に抑えることができる。
【発明を実施するための最良の形態】
【００２０】
以下に、図面を参照して、本発明を適用した紙葉類識別装置の実施の形態を説明する。
【００２１】
図１は本発明を適用した紙幣識別装置を示す全体構成図である。本例の紙幣識別装置１は、その装置ハウジング２の前面に形成した紙幣挿入口３と、ここから挿入された紙幣Ｐを搬送するための紙幣搬送路４と、この紙幣搬送路４に沿って紙幣Ｐを搬送する紙幣搬送機構５を有している。紙幣搬送路４における紙幣挿入口３の近傍には、当該紙幣挿入口３に紙幣Ｐが挿入されたか否かを検出するための紙幣有無センサ６が配置されている。紙幣搬送路４の途中位置には、紙幣搬送機構５によって紙幣搬送路４に沿って搬送される紙幣Ｐに担持されている情報を読み取るための紙幣読取センサ７が配置されている。
【００２２】
紙幣読取センサ７としては、紙幣Ｐの明暗パターンまたは透過光パターンを形成する光学的特徴を検出する光学センサ、紙幣Ｐに印刷されたインクの成分によって磁気パターンを形成する磁気的特徴を検出する磁気センサなどを用いることができる。勿論、これら双方のセンサを備えた構成とすることもできる。
【００２３】
紙幣有無センサ６の検出信号および紙幣読取センサ７の読取情報は、制御ユニット１０に供給される。制御ユニット１０は、マイクロコンピュータを中心に構成されており、紙幣有無センサ６によって紙幣Ｐが挿入されたことを検出すると、紙幣搬送機構５を駆動して、挿入された紙幣Ｐを紙幣搬送路４に沿って搬送を開始し、紙幣読取センサ７によって搬送される紙幣Ｐの担持情報を読み取り、読取情報に基づき紙幣Ｐの種類、真偽、受入可否の識別処理を行う。紙幣の識別処理においては、紙幣読取センサ７により読み取られた読取情報を、予め設定されている判定基準などの識別仕様と照合することにより、挿入紙幣Ｐの識別処理を行う。受入可能な真札が挿入されたことを検出すると、紙幣搬送路４の後端４ａから後段側の紙幣収納部（図示せず）に紙幣Ｐを送り出す。受入不可の紙幣であると識別された場合には、紙幣搬送機構５によって紙幣Ｐを逆方向に搬送して、紙幣挿入口３から紙幣Ｐを排出する。
【００２４】
図２は制御ユニット１０の機能ブロック図である。制御ユニット１０は、紙幣Ｐの判定基準などの識別仕様Ｄ１１が記憶保持されている識別仕様記憶部１１と、紙幣読取センサ７で読み取られた紙幣読取情報Ｄ７を識別仕様記憶部１１に保持されている識別仕様Ｄ１１に照合して紙幣Ｐの識別を行う紙幣識別処理部１２と、この紙幣識別処理部１２での識別結果に基づいて紙幣搬送機構５を駆動する駆動制御部１３と、識別仕様Ｄ１１の変更を行うための識別仕様変更部１４とを有している。識別結果は、紙幣識別装置１が組み込まれている機器、あるいは当該紙幣識別装置１が接続されている機器の制御部（上位の機器）にも供給される。
【００２５】
識別仕様変更部１４には、紙幣識別処理部１２を通常の紙幣識別モードから識別仕様変更モードに切り替えるためのモード切り替え部１６が接続されている。モード切り替え部１６として、回路基板に組み込まれたディップスイッチなどの手動操作部材を用いることができる。この代わりに、紙幣識別装置１に電源が投入された後の所定時間、識別仕様変更モードに設定し、所定時間経過後に、通常の紙幣識別モードに切り替える構成としてもよい。勿論、双方の構成を備えたものとすることもできる。
【００２６】
識別仕様変更モードに切り替えられると、紙幣識別処理部１２は、紙幣読取センサ７によって読み取られた紙幣読取情報Ｄ７から、挿入された紙幣Ｐの種類、表裏の向き、および挿入方向を識別し、これらの情報を含む紙幣情報ｄ１２を生成して、識別仕様変更部１４の紙幣情報比較処理部１７に供給する。紙幣情報比較処理部１７は、紙幣情報ｄ１２に割り当てられている変更用識別仕様情報を仕様変更情報記憶部１８から検索し、得られた変更用識別仕様情報を識別仕様情報書き込み処理部１９に出力する。識別仕様情報書き込み処理部１９は、供給された変更用識別仕様情報を用いて、識別仕様記憶部１１の内容を更新するようになっている。
【００２７】
仕様変更情報記憶部１８には、紙幣の種類、表裏の向き、および挿入方向を表す紙幣情報Ｄ１〜Ｄｎ（ｎは正の整数）と、これらの紙幣情報Ｄ１〜Ｄｎにそれぞれ割り当てられている変更用識別仕様情報Ｄ１’〜Ｄｎ’とが予め記憶保持されている。紙幣情報比較処理部１７では、紙幣情報ｄ１２に一致する紙幣情報（Ｄ１〜Ｄｎ）に割り当てられている変更用識別仕様情報（Ｄ１’〜Ｄｎ’）を検索して、これを出力するようになっている。
【００２８】
図３は紙幣識別装置１の識別仕様の設定変更動作を中心に示す概略フローチャートである。通常の紙幣識別モードの場合には、紙幣Ｐが挿入されると、紙幣読取センサ７による紙幣読取情報Ｄ７を識別仕様記憶部１１内の識別仕様Ｄ１１に照合して、紙幣Ｐの種類および真偽の識別を行う（ステップＳＴ１、２、３）。
【００２９】
モード切り替え部１６によって識別仕様変更モードに切り替えられると、紙幣識別処理部１２は、紙幣読取センサ７による紙幣読取情報Ｄ７から、挿入された紙幣の種類、表裏の向き、および挿入方向を識別し、これらを表す紙幣情報ｄ１２を紙幣情報比較処理部１７に供給する（ステップＳＴ１、４、５）。
【００３０】
紙幣情報比較処理部１７では、供給された紙幣情報ｄ１２に一致する紙幣情報が、仕様変更情報記憶部１８の紙幣情報Ｄ１〜Ｄｎにあるか否かを比較する（ステップＳＴ６）。一致する情報が無い場合には、挿入紙幣を紙幣挿入口３から返却すると共に、識別仕様変更ができなかった旨を報知する。例えば、紙幣識別装置１が組み込まれている機器の表示部にその旨を表示する。
【００３１】
これに対して、一致する紙幣情報がある場合には、それに割り当てられている変更用識別仕様情報（Ｄ１’〜Ｄｎ’）が読み出されて（ステップＳＴ７、ＳＴ８）、識別仕様記憶部１１に書き込まれ、その内容が更新される（ステップＳＴ９）。
【００３２】
例えば、千円札が表面を上に向けて一方の端から挿入されたとし、仕様変更情報記憶部１８には、これに対応する紙幣情報、例えば、紙幣情報Ｄ１が保持されているものとする。また、この紙幣情報Ｄ１に割り当てられている変更用識別仕様情報Ｄ１’は、例えば、「千円紙幣の真偽の判定基準を厳しい側のレベルに上げる」といった内容に対応する識別仕様情報であるとする。この場合には、当該変更用識別仕様情報Ｄ１’によって、識別仕様記憶部１１に予め設定されている千円紙幣の真偽判定用の識別仕様が書き換えられる。あるいは、識別仕様記憶部１１において、千円紙幣の真偽判定用の判定基準として、基準の緩いものが有効とされていた設定状態が基準の厳しいものが有効となる状態に切り替えられる。なお、挿入紙幣Ｐは紙幣読取センサ７によって読み取られた後に、紙幣挿入口３から返却される。
【００３３】
このようにして識別仕様が変更された後においては、変更後の識別仕様に基づき、紙幣の種類、真偽の識別が行われる。
【００３４】
以上説明したように、本例の紙幣識別装置１では、識別仕様変更モードに切り替えて、識別対象の紙幣Ｐの一つを表裏の向きと挿入方向を定めて挿入すれば、そこに設定されている紙幣の識別仕様を変更することができる。したがって、識別仕様変更用紙葉類を用いる必要がないので、かかる紙葉類の作成、保管が不要になる。また、挿入する紙幣Ｐの種類、表裏の向き、および挿入方向を変えることによって、多様な識別仕様変更項目を設定できる。さらには、識別対象の紙幣を読み込むことにより識別仕様を変更できるので、専用の識別仕様変更用紙葉類を読み込むためのシステム変更、制御プログラムの変更・追加などを最小限に抑えることができる。
【００３５】
なお、本例では、識別仕様の変更時に、挿入される紙幣の種類、表裏の向き、挿入方向に応じて変更用識別仕様を設定している。これらのうちの一つを用いてもよい。また、これらに加えて、同一種類の紙幣を繰り返し挿入し、挿入毎の表裏の向き、挿入方向を識別し、所定枚数を挿入した後におけるこれらの挿入順のパターンに基づき、変更用識別仕様を設定してもよい。さらには、異なる種類の紙幣を繰り返し挿入し、挿入される紙幣の種類のパターン、それらの向きなどのパターンなどに基づき、変更用識別仕様を設定してもよい。
【００３６】
さらには、本例は紙幣識別装置に関するものであるが、紙幣以外の紙葉類、例えば、商品券、クーポン券などの識別を行う識別装置に対しても、本発明を同様に適用可能である。
【図面の簡単な説明】
【００３７】
【図１】本例の紙幣識別装置を示す全体構成図である。
【図２】図１に示す制御ユニットの機能ブロック図である。
【図３】図１の紙幣識別装置の識別仕様の設定変更動作を中心に示すフローチャートである。
【符号の説明】
【００３８】
１  紙幣識別装置
２  装置ハウジング
３  紙幣挿入口
４  紙幣搬送路
４ａ  後端
５  紙幣搬送機構
６  紙幣有無センサ
７  紙幣読取センサ
１０  制御ユニット
１１  識別仕様記憶部
１２  紙幣識別処理部
１３  駆動制御部
１４  識別仕様変更部
１６  モード切り替え部
１７  紙幣情報比較処理部
１８  仕様変更情報記憶部
１９  識別仕様情報書き込み処理部
Ｐ  紙幣
Ｄ７  紙幣読取情報
Ｄ１１  識別仕様
ｄ１２  紙幣情報
Ｄ１〜Ｄｎ  紙幣情報
Ｄ１’〜Ｄｎ’  変更用識別仕様情報
【図１】
2007114818.tif 000003
【図２】
2007114818.tif 000004
【図３】
2007114818.tif 000005